(57)【要約】【課題】  従来、家庭用の食品用ラップフィルム容器には切歯による手指の切創という問題があった。【解決手段】  回転被せ蓋部裏側１３のカートン紙２０と切歯４との間に切歯４より更に長く露出させた複数の切込み６を入れた薄い樹脂製シートの歯当たり防止カバー５を有し、かつこの歯当たり防止カバー５の両端は切歯４に重ならないよう斜めカット部１０があり、引き出したラップフィルム９から一定の力が加われば歯当たり防止カバー５が撓んで切歯４に触れるように構成されてなる。又、山形形状の切歯中央部１８をカバーする歯当たり防止カバー５の抵抗を小さくするために切込み６の数を増やし、かつ他の部分よりも歯当たり防止カバー切片１１を長くしてなる。【選択図】図１
2014213945.tif 000002
【特許請求の範囲】
【請求項１】
回転被せ蓋部裏側に直線形状又は山形形状を有する金属あるいは樹脂製の切歯が回転被せ蓋部の端部より少し露出させるように接着または溶着もしくはかしめ等の手段で固定されるような家庭用の食品用ラップフィルムのカートン容器において、回転被せ蓋部裏側にカートン紙と切歯との間に切歯より長く露出させた複数の切込みを入れた薄い樹脂製シートの歯当たり防止カバーを有し、かつこの歯当たり防止カバーの両端は切歯の端部に重ならないよう斜めカット部を有していて、引き出したラップフィルムから一定の力が加われば歯当たり防止カバーが撓んで切歯に触れるように構成されてなる歯当たり防止カバーを有する安全な食品用ラップフィルムカートン容器。
【請求項２】
山形形状の切歯中央部をカバーする歯当たり防止カバーの抵抗を小さくするために切込みの数を増やし、かつ他の部分よりも歯当たり防止カバー切片を長くしてなる請求項１記載の歯当たり防止カバーを有する安全な食品用ラップフィルムカートン容器。
【発明の詳細な説明】
【技術分野】
【０００１】  本発明はラップフィルムをカットするための切歯を有する家庭用の安全な食品用ラップフィルムカートン容器に関するものである。
【背景技術】
【０００２】  従来、家庭用の食品用ラップフィルムは紙製芯パイプにロール状に巻かれ切歯を有するカートン容器に収められていた。標準的なカートン容器を説明すると、展開すると一枚の紙から組み立てられるものであって、ロール収納部と回転被せ蓋部とから一体でなり、回転被せ蓋部の裏側には金属あるいは樹脂製の細かい切歯が接着または溶着もしくはかしめ等の手段で設けられている。回転被せ蓋部の端部には長手方向に複数の切込みが入った切り取り部が有り、この部分がロール収納部に接着剤で固定されているが、より外しやすいように複数のスポット接着になっていて、使用時にはこのスポット接着された切り取り部を取り除くと蓋が開くと同時に細かい切歯が露出するようになっている。日本では１９６０年代に販売され始めたが、前記説明のように切歯を有するカートン容器の基本構造はほぼ変わらないといえる。一般家庭での使い方は、ロール収納部からラップフィルムを必要分だけ手で引き出し回転被せ蓋部を被せて押さえ、露出した切歯に当ててカットするのだが、次に使用するときにラップフィルムが巻き戻っていて使い難いという問題に対処するためカートン容器の一部に粘着剤あるいはラップフィルムの接着性質を利用してニスを塗布してフィルム保持部を設けたものもある。ラップフィルムがカートン容器から飛び出ないようにロール押さえを設けたものも多い。更には、切歯は直線形状と山形形状のタイプがあって、前者は端からカットするのに適していて、後者はカートン容器を回転するだけでカットできると同時に端部からカットするのにも適したものである。但し、ラップフィルムには塩化ビニリデンのような伸びにくい素材とポリエチレンのような伸びやすい素材とがあるので後者は塩化ビニリデンタイプには適している。因みにこの山形形状のタイプは樹脂製がほとんどで、概三角形に突出した山の歯の形状は他の部分より荒くしかも深く切れ込んでいてやや高くなっておりラップフィルムに突き刺さりやすいように工夫されている。又、両端も同様にやや荒くかつ高くなっていて端からのカットがしやすいようになっている。切歯の選定は切れ味やトラブルの原因にもなりやすく、問題のある製品も多く出回っているのが実情である。又、この切歯の部分はエコロジーの観点からリサイクルしやすいようにカートンの紙の部分と切歯の部分を簡単に分離切除できるものも多い。それすら行わずカートンと同様に切歯を特殊な紙素材で得るというアイデアもあった。現状の樹脂製切歯は植物由来のポリ乳酸が使用される。【０００３】  業務用の食品用ラップフィルムのカートン容器の場合、家庭用と同様にロール収納部と回転被せ蓋部とからなるが、ロール収納部外側の角に剥き出しの直線形状の切歯を設けたものがある。ラップフィルムを引き出して切歯に当ててカットするのだが、プロの料理人が使う前提の業務用ならではの構造であった。【０００４】  家庭用の食品用ラップフィルムは冷蔵庫の大容量化と電子レンジの普及で日常的に使う便利な必需品となった一方で、切歯による手指の切創という安全面での問題もあった。うっかり切歯に触れて手の甲や指に傷を付けてしまうことが相当多かった。対策として切歯が奥に倒れる構造など特許情報で散見されるがそれぞれ操作性や切れ味及び量産性及び経済性などに問題があって製品化に至っていない。
【発明の開示】
【発明が解決しようとする課題】
【０００５】  背景技術でも述べたとおり、家庭用の食品用ラップフィルムは日常的に使う便利な必需品となった一方で、切歯による手指の切創という安全面での問題もあった。ラップフィルム取り出し時にはフィルムロールのテープ封を解かなくてはならないのでカートン容器の中に手を入れる心要があり、うっかり切歯に触れて手の甲や指に傷を付けてしまうことが多かった。巻き戻り防止のため前記したラップフィルム保持の機構があっても何度も使用していくと汚れやラップフィルムの皺などで保持できず巻き戻ってしまうことがよくある。ラップフィルムがカートン容器から飛び出ないようにロール収納部両側にロール押さえを設けてあるのでなお更手を入れなくてはならないことも指摘できる。しかし、小さな引っ掻き傷であっても消費者にとっては不快であった。この歯当たりの不快さを簡単な方法で解決するとともに切れ味も確保するのが本発明の課題である。
【課題を解決するための手段】
【０００６】  本発明は、前記課題を解決するために比較的簡単な手段で実現できるよう考慮したものである。具体的に言えば、従来の家庭用の食品用ラップフィルムのカートン容器の回転被せ蓋部裏側には金属あるいは樹脂製の細かい切歯が接着または溶着もしくはかしめ等の手段で設けられていて、ロール収納部から必要分だけ手で引き出し回転被せ蓋部を被せて押さえ切歯に当ててカットするのであるが、本発明では、この切歯とカートンの紙の間に切歯の露出高さより更に長く露出させた複数の切込みを入れた歯当たり防止カバーを設けてあり、引き出したラップフィルムから一定の力がかかれば撓んで切歯に触れるようにする。従来の製品の切歯はカートン容器の回転被せ蓋部から１ｍｍから３ｍｍほど露出させており、歯当たり防止カバーはそれよりも概ね２〜３ｍｍ以上あれば良い。この歯当たり防止カバーの素材は０．１ｍｍ前後の樹脂製シートを用いるが、ラップフィルムから受ける力で容易に撓むよう複数の切込みが設けられている。これらの切込みの数は樹脂の種類にもよるが、カートン容器の中に手を入れる場合に簡単に撓んで歯当たりしないような条件を確保するため切込みの数を調整する。但し切歯の両端だけは、歯当たり防止カバーを被せないほうが良い。この理由は直線形状タイプの切歯の場合、ラップフィルムの切込みはラップフィルムの端部から始めるので歯当たり防止カバーがラップフィルムの皺などに引っかかるなど防止するためである。又、山形形状タイプの切歯の場合には、中央部分が他の部分よりも長く鋭利な切歯であって、これがカートン容器を持った手を回転させるだけでラップフィルムに食い込んで一気にカットするが、この中央部分にかかるラップフィルムの抵抗がやや大きいのでこの部分に対応する歯当たり防止カバーは抵抗を小さくするために切込みの数を増やしてやる。更にはこの中央部の歯当たり防止カバーの切片は他の部分よりも少し長くしてやれば撓みやすくなるので手にかかる抵抗を少なくできる。但し、余り撓みやすくすれば歯当たり防止にならないので合理的に条件設定する。【０００７】  歯当たり防止カバーは繰り返しラップフィルムからの力を受けるので弾性が強くかつ折れ癖がつきにくい強靭なものが好ましい。かつ、切歯が見えるように透明が好ましい。この歯当たり防止カバーをカートン容器の紙と切歯との間に設置するが、設置方法は切歯の素材によって対応すればよい。金属の場合は歯当たり防止カバーと共にかしめるか接着剤、樹脂の場合はやはり歯当たり防止カバーと共に超音波溶着するか、接着剤を用いる。設置方法の如何に関わらず、切歯と歯当たり防止カバーの位置関係が常に正しくなるように工夫する必要がある。【０００８】  歯当たり防止カバーと切歯はあらかじめ一体に加工してあっても構わない。【０００９】  歯当たり防止カバーをカートン容器の回転被せ蓋部裏側に設置するのは、繰り返しの曲げストレスを受けるので構造的に耐久性が確保できるためと、片側だけの加工であれば量産加工上の優位性が得られるからである。
【発明の効果】
【００１０】  本発明の回転被せ蓋部裏側のカートン紙と切歯との間に設けられる歯当たり防止カバーは、請求項１では引き出したラップフィルムから一定の力が加われば撓んで切歯に触れるようになっているのでカット操作に殆ど支障が無く、しかも切歯に手が触れにくくなる効果を発揮する。【００１１】  請求項２では山形形状の切歯の中央部分をカバーする歯当たり防止カバーの抵抗を小さくするために切込みの数を増やし、かつ他の部分よりも切片を長くしてなるので手にかかる抵抗を小さくする効果を有する。
【発明を実施するための最良の形態】
【実施例】
【００１２】  本発明の実施例を図１から図９に基づき説明する。【００１３】  図１は本発明の請求項１に記載される実施例で、直線形状の切歯７を有するタイプで示している。カートン容器１９の素材及び構造は通常のものに準じているが、回転被せ蓋部裏側１３にカートン紙２０と切歯４との間に挟み込むように歯当たり防止カバー５を設ける。この歯当たり防止カバー５の素材は０．１ｍｍ前後の樹脂製シートを用いるが、ラップフィルム９から受ける力で容易に撓むよう複数の切込み６が設けられている。これらの切込み６の数は樹脂の種類にもよるが、但し、カートン容器１９の中に手１７を入れる場合に簡単に撓んでも歯当たりしないような条件を確保するため切込み６の数を調整する。更には切歯４の両端だけは、歯当たり防止カバー５を被せず斜めカット部１０を設ける。切歯４は金属あるいは樹脂製の細かいのこぎり様の歯である。歯の形状及び大きさ厚さは従来のものに準じて構わない。図２では歯当たり防止カバー５の切創防止作用を示す断面図で、手１７を入れた場合でも歯当たり防止カバー５により直接切歯４に触れないような構造になっている。図３から図４及び図５は、回転被せ蓋部３に設置される歯当たり防止カバー５の作用、及び切歯４とラップフィルム９との位置関係を示す断面図で、図３では使用しないとき歯当たり防止カバー５が切歯４を安全にカバーしている。図４では、ラップフィルム９が引き出されたとき歯当たり防止カバー５が撓み切歯４に触れて食い込んでいる。図５では、ラップフィルム９がカットされた後即座に歯当たり防止カバー５が弾性により元の位置に戻る作用を示している。図６では直線形状の切歯７に本発明の歯当たり防止カバー５がカートン容器１９の回転被せ蓋部３に装着された状態を示す正面図で、回転被せ蓋部３によって見えない部分も透視的に表している。図７では、直線形状の切歯７に対応する歯当たり防止カバー５の形状と大きさを比較して表している。上段が直線形状の切歯７、下段が対応する歯当たり防止カバー５。歯当たり防止カバー５の両端には斜めカット部１０が設けられている。図８ではやはり山形形状の切歯８に対応する歯当たり防止カバー５がカートン容器１９の回転被せ蓋部３に装着された状態を示す正面図で、回転被せ蓋部３によって見えない部分も透視的に表している。図９も図７と同様に山形形状の切歯８に対応する歯当たり防止カバー５の形状と大きさを比較して表している。上段が山形形状の切歯８、下段が対応する歯当たり防止カバー５。山形形状の切歯中央部１８は他の部分よりも長く鋭利な切歯４であって、これがカートン容器１９を持った手１７を回転させるだけでラップフィルム９に食い込んで一気にカットするが、この山形形状の切歯中央部１８にかかるラップフィルム９の抵抗がやや大きいのでこの部分に対応する歯当たり防止カバー５は抵抗を小さくするために切込み６の数を増やしてやる。更にはこの山形形状の切歯中央部１８の歯当たり防止カバー切片１１は他の部分よりも少し長くしてやれば撓みやすくなるので手にかかる抵抗を少なくできる。但し、余り撓みやすくすれば歯当たり防止にならないので合理的に条件設定する。このタイプでも歯当たり防止カバー５の両端には斜めカット部��０が設けられている。
【産業上の利用可能性】
【００１４】  本発明は以上のように構成されているので、家庭用の安全な食品用ラップフィルムカートン容器として広く提供できる。
【図面の簡単な説明】
【図１】  本発明の歯当たり防止カバーを有する安全な食品用ラップフィルムカートン容器の斜視図である。
【図２】  歯当たり防止カバーの切創防止作用を示す断面図である。
【図３】  回転被せ蓋部に設置される歯当たり防止カバーと切歯及びラップフィルムとの位置関係を示す断面図である。
【図４】  歯当たり防止カバーがラップフィルムから引っ張りの力を受け撓んで切歯に当りカットされる作用を示す断面図である。
【図５】  ラップフィルムがカットされた後、歯当たり防止カバーが元の位置に戻る作用を示す断面図である。
【図６】  直線形状の切歯に本発明の歯当たり防止カバーがカートン容器に装着された状態を示す正面図である。
【図７】  図６に示される直線の切歯と本発明の歯当たり防止カバーの形状と大きさを上下並べて比較する正面図である。
【図８】  山形形状の切歯に本発明の歯当たり防止カバーがカートン容器に装着された状態を示す正面図である。
【図９】  図８に示される山形形状の切歯と本発明の歯当たり防止カバーの形状と大きさを上下並べて比較する正面図である。
【符号の説明】
【００１５】１  歯当たり防止カバーを有する安全な食品用ラップフィルムカートン容器
２  ロール収納部
３  回転被せ蓋部
４  切歯
５  歯当たり防止カバー
６  切込み
７  直線形状の切歯
８  山形形状の切歯
９  ラップフィルム
１０  斜めカット部
１１  歯当り防止カバー切片
１２  切歯及び歯当り防止カバー設置部
１３  回転被せ蓋部裏側
１４  テープ封
１５  ロール押さえ
１６  フィルム保持部
１７  手
１８  山形形状の切歯中央部
１９  カートン容器
２０  カートン紙
【図１】
2014213945.tif 000003
【図２】
2014213945.tif 000004
【図３】
2014213945.tif 000005
【図４】
2014213945.tif 000006
【図５】
2014213945.tif 000007
【図６】
2014213945.tif 000008
【図７】
2014213945.tif 000009
【図８】
2014213945.tif 000010
【図９】
2014213945.tif 000011